(57)【要約】【課題】ハーネスの引っ掛かりを抑制し、定着装置の着脱を円滑に行うことが可能な画像形成装置を提供する。【解決手段】レーザプリンタ１は、本体フレーム２と定着装置１００を備える。本体フレーム２は、定着装置を所定の装着位置まで案内するガイド面３１２，３１４，３１６，３１８を備える。定着装置は、ヒータ１２０，１３０と、ヒータの軸方向の一端部に設けられ、第１導電部１６３を有する第１端子部材１６０と、第１導電部に嵌合する第２導電部１９４を有するコネクタ１９０と、第１端子部材を支持する第２支持面２２０を有する定着フレーム２００と、を備える。さらに、定着装置は、コネクタが軸方向に変位することを規制する第１規制壁２２２を有する。第１規制壁は、軸方向において、コネクタを基準としてヒータの反対側に配置され、第１規制壁は、ガイド面に案内される被ガイド面２３０を有する。【選択図】図５
2018169528.tif 000002
【特許請求の範囲】
【請求項１】
画像形成装置本体と、
当該画像形成装置本体に装着される定着装置と、を備えた画像形成装置であって、
前記画像形成装置本体は、前記定着装置を所定の装着位置まで案内するガイド面を備え、
前記定着装置は、
第１方向に沿って長尺なヒータと、
前記ヒータの前記第１方向における一端部に設けられ、第１導電部を有する板状の端子部材と、
前記第１導電部に嵌合する第２導電部を有するコネクタと、
前記端子部材を支持する支持面を有するフレームと、を備え、
前記フレームは、前記コネクタが前記第１方向に変位することを規制する第１規制壁を有し、
前記第１規制壁は、前記第１方向において、前記コネクタを基準として前記ヒータの反対側に配置され、
前記第１規制壁は、前記ガイド面に案内される被ガイド面を有することを特徴とする画像形成装置。
【請求項２】
前記コネクタは、前記支持面と反対側に位置する第１面を有し、
前記第１方向と直交する第２方向において、前記支持面から前記第１規制壁の先端までの距離は、前記支持面から前記第１面までの距離よりも長く、
前記被ガイド面は、前記第１規制壁の前記第２方向における端面により形成されることを特徴とする請求項１に記載の画像形成装置。
【請求項３】
前記被ガイド面は、前記定着装置の前記画像形成装置本体への装着時に前側に位置する先端部が後側に位置する後端部よりも、前記支持面までの距離が短くなるように、前記支持面に対して傾斜していることを特徴とする請求項２に記載の画像形成装置。
【請求項４】
前記フレームは、前記第１方向において、前記ヒータと前記第１規制壁の間に第２規制壁を有し、
前記コネクタは、前記第１方向において、前記第１規制壁と前記第２規制壁の間に配置され、
前記第２方向において、前記支持面から前記第２規制壁の先端までの距離は、前記支持面から前記第１規制壁の先端までの距離よりも短いことを特徴とする請求項２または請求項３に記載の画像形成装置。
【請求項５】
前記端子部材および前記コネクタを覆うカバー部材を備え、
前記カバー部材は、
前記第１規制壁と、
前記第２方向において前記支持面に対向する第１壁と、
前記第１方向および前記第２方向と直交する第３方向で前記第１規制壁と並び、前記第１壁とつながる第２壁と、を備え、
前記第１壁は、
前記第２壁とつながる連結端部と、
前記連結端部から前記第１方向内側に延び、前記第１規制壁と前記第３方向で隣接する第１端部と、
前記第１端部から前記第３方向に延び、前記第１規制壁と前記第１方向で隣接する第２端部と、を備えることを特徴とする請求項２から請求項４のいずれか一項に記載の画像形成装置。
【請求項６】
前記第１規制壁は、前記第２方向において、前記第１壁よりも突出していることを特徴とする請求項５に記載の画像形成装置。
【請求項７】
前記第２導電部は、絶縁性のハウジングにより被覆されていることを特徴とする請求項１から請求項６のいずれか一項に記載の画像形成装置。
【発明の詳細な説明】
【技術分野】
【０００１】
本発明は、定着装置を所定の装着位置まで案内するガイド面を備えた画像形成装置本体と、被ガイド面を有し、画像形成装置本体に装着される定着装置と、を備えた画像形成装置に関する。
【背景技術】
【０００２】
定着装置に用いる加熱ヒータにおいて、複数のヒータの一端部に板状の端子部材が設けられた構成が知られている。
【先行技術文献】
【特許文献】
【０００３】
【特許文献１】特開２０１０−２１７４９１号公報
【０００４】
このような定着装置では、電源等に接続されたハーネスの一端に接続されたコネクタが各端子部材に差し込まれる。そして、定着装置は、画像形成装置本体に装着される。
【０００５】
しかしながら、コネクタの抜き差しにより端子部材が変形すると、定着装置を着脱する際、本来の位置から変位したコネクタに接続されたハーネスが画像形成装置本体に引っ掛かる虞があった。
【発明の概要】
【発明が解決しようとする課題】
【０００６】
そこで、本発明は、コネクタが変位することを規制して、定着装置を着脱する際、ハーネスの引っ掛かりを抑制することで、画像形成装置本体への定着装置の着脱を円滑に行うことが可能な画像形成装置を提供することを目的とする。
【課題を解決するための手段】
【０００７】
前記課題を解決するため、本発明に係る画像形成装置は、画像形成装置本体と、画像形成装置本体に装着される定着装置と、を備える。
画像形成装置本体は、定着装置を所定の装着位置まで案内するガイド面を備える。
定着装置は、第１方向に沿って長尺なヒータと、ヒータの前記第１方向における一端部に設けられ、第１導電部を有する板状の端子部材と、第１導電部に嵌合する第２導電部を有するコネクタと、端子部材を支持する支持面を有するフレームと、を備える。
そして、フレームは、コネクタが第１方向に変位することを規制する第１規制壁を有する。第１規制壁は、第１方向において、コネクタを基準としてヒータの反対側に配置される。さらに、第１規制壁は、ガイド面に案内される被ガイド面を有することを特徴とする。
【０００８】
この構成によれば、定着装置のフレームが、コネクタを基準としてヒータの反対側に配置された第１規制壁を有しているので、コネクタがヒータとは反対側、すなわち定着装置の外側に変位することが規制され、定着装置の着脱時に、コネクタに接続されたハーネスが画像形成装置本体に引っ掛かることが抑制される。
【発明の効果】
【０００９】
本発明によれば、定着装置のフレームが、コネクタの変位を規制する第１規制壁を有しているので、定着装置の着脱時に、コネクタに接続されたハーネスが画像形成装置本体に引っ掛かることが抑制される。
【図面の簡単な説明】
【００１０】
【図１】一実施形態に係る定着装置を備えたレーザプリンタの概略構成を示す図である。
【図２】（ａ）は第１ヒータ及び第２ヒータを示す斜視図であり、（ｂ）は左側端部の拡大斜視図、（ｃ）は右側端部の拡大斜視図である。
【図３】第１ヒータ及び第２ヒータを取り付ける定着フレームの概略図である。
【図４】第１ヒータ、第２ヒータおよび加熱ローラが取り付けられた定着フレームの一端部を示す拡大図である。
【図５】定着フレームの一端部を拡大して示す斜視図である。
【図６】第１規制壁、第２規制壁およびコネクタの上下方向における位置関係を示す断面図である。
【図７】定着フレームの一端部と、当該一端部で端子部材およびコネクタを覆うカバー部材を示す分解斜視図である。
【図８】定着フレームの一端部において、端子部材およびコネクタがカバー部材で覆われた状態を示す斜視図である。
【図９】定着フレームの一端部において、被ガイド面がカバーよりも突出している状態を示す斜視図である。
【図１０】定着装置を画像形成装置本体に装着する動作を説明する説明図であり、（ａ）は定着装置の被ガイド面が画像形成装置本体のガイド面と接触する前の状態を示す説明図、（ｂ）は定着装置がガイド面に沿って案内されている状態を示す説明図、（ｃ）は、定着装置が所定の装着位置で装着された状態を示す説明図である。
【発明を実施するための形態】
【００１１】
本発明の実施形態について、適宜図面を参照しながら詳細に説明する。なお、以下の説明においては、まず、定着装置１００を備えたレーザプリンタの全体構成を簡単に説明した後、本発明の特徴部分を詳細に説明することとする。
【００１２】
以下の説明において、方向は、レーザプリンタ使用時のユーザを基準にした方向で説明する。すなわち、図１において、紙面に向かって右側を「前側」、紙面に向かって左側を「後側」とし、紙面に向かって手前側を「左側」、紙面に向かって奥側を「右側」とする。また、紙面に向かって上下方向を「上下方向」とする。
【００１３】
図１に示すように、画像形成装置の一例であるレーザプリンタ１は、画像形成装置本体の一例としての本体フレーム２内に、用紙３を給紙するためのフィーダ部４と、給紙された用紙３に画像を形成するための画像形成部５とを備えている。
【００１４】
フィーダ部４は、本体フレーム２内の底部に着脱可能に装着される給紙トレイ６と、給紙トレイ６内に設けられた用紙押圧板７を備えている。また、フィーダ部４は、給紙トレイ６の前側上部に設けられる給紙ローラ８および給紙パッド９と、給紙ローラ８に対し用紙３の搬送方向の下流側に設けられる紙粉取りローラ１０，１１を備えている。さらに、フィーダ部４は、紙粉取りローラ１１に対して下流側に設けられるレジストローラ１２を備えている。
【００１５】
そして、このように構成されるフィーダ部４では、給紙トレイ６内の用紙３が、用紙押圧板７によって給紙ローラ８側に寄せられ、この給紙ローラ８および給紙パッド９で一枚ずつに分離されて送り出され、本体フレーム２の前側においてＵターンするように各種ローラ１０〜１２を通り、本体フレーム２の前側から後側に向かって画像形成部５に搬送される。
【００１６】
画像形成部５は、スキャナ部１６と、プロセスカートリッジ１７と、定着装置１００とを備えている。
【００１７】
スキャナ部１６は、本体フレーム２内の上部に設けられ、レーザ発光部（図示せず）、回転駆動されるポリゴンミラー１９、レンズ２０，２１、反射鏡２２，２３，２４などを備えている。そして、スキャナ部１６では、レーザビームが図の鎖線で示す経路を通って、プロセスカートリッジ１７の感光ドラム２７の表面上に高速走査にて照射される。
【００１８】
プロセスカートリッジ１７は、スキャナ部１６の下方に配設され、本体フレーム２に対して着脱可能となっている。プロセスカートリッジ１７は、現像カートリッジ２８とドラムユニット５１とで主に構成されている。
【００１９】
現像カートリッジ２８は、現像ローラ３１、層厚規制ブレード３２、供給ローラ３３およびトナーホッパ３４を備えている。そして、トナーホッパ３４内のトナーは、アジテータ（符号略）で攪拌された後、供給ローラ３３により現像ローラ３１に供給され、このとき、供給ローラ３３と現像ローラ３１との間で正に摩擦帯電される。現像ローラ３１上に供給されたトナーは、現像ローラ３１の回転に伴って、層厚規制ブレード３２と現像ローラ３１との間に進入し、一定厚さの薄層として現像ローラ３１上に担持される。
【００２０】
ドラムユニット５１は、感光ドラム２７、スコロトロン型帯電器２９および転写ローラ３０を備えている。そして、このドラムユニット５１内において、感光ドラム２７の表面は、スコロトロン型帯電器２９により一様に正帯電された後、スキャナ部１６からのレーザビームの高速走査により露光される。これにより、露光された部分の電位が下がって、画像データに基づく静電潜像が形成される。
【００２１】
次いで、現像ローラ３１の回転により、現像ローラ３１上に担持されているトナーが、感光ドラム２７に対向して接触するときに、感光ドラム２７の表面上に形成される静電潜像に供給される。そして、トナーは、感光ドラム２７の表面上で選択的に担持されることによって可視像化され、これによって反転現像によりトナー像が形成される。その後、感光ドラム２７と転写ローラ３０の間で用紙３が搬送されることで、感光ドラム２７の表面に担持されているトナー像が用紙３上に転写される。
【００２２】
トナー像が転写された用紙３は、定着装置１００によりトナー像が熱定着された後、搬送ローラ４３によって、排紙パス４４に搬送され、排紙ローラ４５によって排紙トレイ４６上に排紙される。
【００２３】
定着装置１００は、加熱ローラ１１０と、加熱ローラ１１０の内側に配置される第１ヒータ１２０及び第２ヒータ１３０と、加熱ローラ１１０の下方に配置され、加熱ローラ１１０に対して押圧される加圧ローラ１１５と、フレームの一例として、加熱ローラ１１０および加圧ローラ１１５を取り付ける定着フレーム２００（図３参照）とを主に備えている。
この定着装置１００では、第１ヒータ１２０及び第２ヒータ１３０で加熱ローラ１１０が加熱されることで、用紙３が加熱ローラ１１０と加圧ローラ１１５との間を前側から後側へ向けて通過する間に、用紙３上に転写されたトナー像が熱定着される。
【００２４】
次に、定着装置１００の詳細について説明する。
以下の説明では、第１方向の一例として左右方向（軸方向）、第１方向と直交する第２方向の一例として上下方向、第１方向および第２方向と直交する第３方向の一例として前後方向と規定する。
本実施形態において、第１ヒータ１２０及び第２ヒータ１３０は、それぞれ、通電により発熱するように構成されたハロゲンランプであり、ガラス管の中心軸線が、左右方向（軸方向）に沿って延びている。
図２（ａ）に示すように、第１ヒータ１２０及び第２ヒータ１３０は、前後方向に並んで配置されている。詳細には、第１ヒータ１２０の前側に第２ヒータ１３０が配置されており、第１ヒータ１２０と第２ヒータ１３０は、左右方向における一端部である右側端部がそれぞれ碍子ＩＳに嵌め込まれて、一体となっている。
【００２５】
第１ヒータ１２０は、左右方向において、端部を優先的に加熱するためのヒータである。第１ヒータ１２０は、左右方向に沿って長尺な第１ガラス管１２１を有している。そして、第１ヒータ１２０は、左右方向における一端部である右側端部に、第１ガラス管１２１から延出する第１右リードピン１２２を有している。また、第１ヒータ１２０は、左側端部に、第１ガラス管１２１から延出する第１左リードピン１２３を有している。
【００２６】
第２ヒータ１３０は、左右方向において、中央部を優先的に加熱するためのヒータである。第２ヒータ１３０は、左右方向に沿って長尺な第２ガラス管１３１を有している。そして、第２ヒータ１３０は、左右方向における一端部である右側端部に、第２ガラス管１３１から延出する第２右リードピン１３２を有している。また、第２ヒータ１３０は、左側端部に、第２ガラス管１３１から延出する第２左リードピン１３３を有している。
【００２７】
定着装置１００は、第１ヒータ１２０および第２ヒータ１３０の左側端部に、板状の第１端子部材１６０を備えている。そして、第１ヒータ１２０の第１左リードピン１２３と、第２ヒータ１３０の第２左リードピン１３３が溶接等により第１端子部材１６０に固定される。第１端子部材１６０は、板状の端子部材の一例である。
【００２８】
図２（ｂ）に示すように、第１端子部材１６０は金属板からなり、ベース部１６１と、ベース部１６１の左側端部から下方に延びる延出部１６２と、延出部１６２から後方に延びる第１導電部１６３と、を備えている。
そして、ベース部１６１には穴１６４が設けられており、穴１６４を通したネジＳＣ１を、後述するボス２２１の穴Ｈ３にねじ込むことで、第１端子部材１６０が定着フレーム２００に固定される（図３および図４参照）。
なお、第１導電部１６３は、金属製の第１平型接続端子１９２の第２導電部１９４を嵌合することで、図示しない電源に接続される。第２導電部１９４は、第１導電部１６３に嵌合した状態で第１導電部１６３を抱え込むような断面略Ｃ形状を有するように、第１平型接続端子１９２の前端部を折り曲げて形成される。
【００２９】
また、定着装置１００は、第１ヒータ１２０の右側端部に板状の第２端子部材１４０と、第２ヒータ１３０の右側端部に板状の第３端子部材１５０を備えている。そして、第１ヒータ１２０の第１右リードピン１２２が溶接等により第２端子部材１４０に固定され、第２ヒータ１３０の第２右リードピン１３２が溶接等により第３端子部材１５０に固定される。
【００３０】
図２（ｃ）に示すように、第２端子部材１４０は金属板からなり、ベース部１４１と、ベース部１４１の右側端部から下方に延びる延出部１４２と、延出部１４２から後方に延びる第３導電部１４３と、を備えている。
そして、ベース部１４１には穴１４４が設けられており、穴１４４を通したネジ（図示せず）を、後述するボス２１１の穴Ｈ１（図３参照）にねじ込むことで、第２端子部材１４０が定着フレーム２００に固定される。
なお、第３導電部１４３は、金属製の第２平型接続端子１７２の第４導電部１７４を嵌合することで、図示しない制御基板に接続される。第４導電部１７４は、第３導電部１４３に嵌合した状態で第３導電部１４３を抱え込むような断面略Ｃ形状を有するように、第２平型接続端子１７２の前端部を折り曲げて形成される。
【００３１】
図２（ｃ）に示すように、第３端子部材１５０は金属板からなり、ベース部１５１と、ベース部１５１の右側端部から上方に延びる延出部１５２と、延出部１５２から後方に延びる第５導電部１５３と、を備えている。
そして、ベース部１５１には穴１５４が設けられており、穴１５４を通したネジ（図示せず）を、後述するボス２１２の穴Ｈ２（図３参照）にねじ込むことで、第３端子部材１５０が定着フレーム２００に固定される。
なお、第５導電部１５３は、金属製の第３平型接続端子１８２の第６導電部１８４を嵌合することで、図示しない制御基板に接続される。第６導電部１８４は、第５導電部１５３に嵌合した状態で第５導電部１５３を抱え込むような断面略Ｃ形状を有するように、第３平型接続端子１８２の前端部を折り曲げて形成される。
【００３２】
次に、第１ヒータ１２０及び第２ヒータ１３０が固定される定着フレーム２００について、図３および図４を参照して説明する。
図３の概略図に示すように、定着フレーム２００は、絶縁性の樹脂から形成され、加熱ローラ１１０の上側部分が収容される凹部２０１を有する中央部２０２と、中央部２０２の右側に位置する右側端部２０４と、中央部２０２の左側に位置する左側端部２０６を有している。
【００３３】
右側端部２０４は、第２端子部材１４０と第３端子部材１５０を支持する第１支持面２１０を有している。第１支持面２１０は、第２端子部材１４０の穴１４４と係合するボス２１１と、第３端子部材１５０の穴１５４と係合するボス２１２を有している。ボス２１１には、第２端子部材１４０をネジ（図示せず）で固定するための穴Ｈ１が設けられており、ボス２１２には、第３端子部材１５０をネジ（図示せず）で固定するための穴Ｈ２が設けられている。ボス２１１，２１２は、第１支持面２１０から下方に突出している。
【００３４】
左側端部２０６は、加熱ローラ１１０のギア側に対応する端部であり、端子部材を支持する支持面の一例として、第２支持面２２０を有している。第２支持面２２０は、ボス２２１を有している。ボス２２１には、第１端子部材１６０をネジＳＣ１で固定するための穴Ｈ３が設けられボス２２１は、第２支持面２２０から下方に突出している。
【００３５】
このような定着フレーム２００に、加熱ローラ１１０、第１ヒータ１２０および第２ヒータ１３０を固定すると、定着装置１００の左側端部では、各部材が図４に示すように配置される。
より詳細には、加熱ローラ１１０の左側端部に設けたギアＧＲ１が、モータ（図示せず）からの駆動力が入力される駆動ギアＧＲ２と噛み合う。そして、加熱ローラ１１０の内部を通した第１ヒータ１２０および第２ヒータ１３０の左側端部に固定された第１端子部材１６０は、ネジＳＣ１により、定着フレーム２００の第２支持面２２０に固定される。
【００３６】
さらに、定着フレーム２００の左側端部２０６には、左右方向（軸方向）で第１端子部材１６０の第１導電部１６３と対向する位置に、第２支持面２２０から突出する第１規制壁２２２が設けられている。第１導電部１６３は、第１規制壁２２２から離間して、第１規制壁２２２と平行に配置される。
【００３７】
第１規制壁２２２は、後述するコネクタ１９０が第１導電部１６３に嵌められた状態で、コネクタ１９０の左右方向（軸方向）外側への揺動を規制するための壁である。
図４および図５に示すように、第１規制壁２２２は、左右方向において左側端部２０６の第２支持面２２０の外縁部に設けられ、前後方向に延びている。
第１規制壁２２２は、左右方向において、第１導電部１６３（或いは、第１導電部１６３に嵌められたコネクタ１９０）を基準として、加熱ローラ１１０（第１ヒータ１２０および第２ヒータ１３０）の反対側に配置されている。
【００３８】
図５に示すように、第１規制壁２２２は、下側端面が、本体フレーム２に設けられた後述するガイド面に案内される被ガイド面２３０を形成している。
被ガイド面２３０は、中央部に設けた凹部２３２により、凹部２３２の前側に位置する先端部２３４と、凹部２３２の後側に位置する後端部２３６に分けられる。そして、被ガイド面２３０は、図示した向きと上下反転させた状態で定着装置１００を本体フレーム２に装着する際、定着装置１００を所定の姿勢で案内するように、第２支持面２２０に対して所定の角度で傾斜している。詳細には、被ガイド面２３０は、先端部２３４から第２支持面２２０までの距離が、後端部２３６から第２支持面２２０までの距離よりも短くなるように、第２支持面２２０に対して傾斜している。
【００３９】
また、図４に示すように、左側端部２０６には、第１規制壁２２２よりも右側であって、第１規制壁２２２の後方に第２規制壁２２４が設けられている。第２規制壁２２４は、第２支持面２２０から下方に突出し、第１規制壁２２２と平行な壁である。
第２規制壁２２４は、コネクタ１９０が第１導電部１６３に嵌められた状態で、コネクタ１９０の左右方向（軸方向）内側への揺動を規制するための壁である。
図４および図５に示すように、第２規制壁２２４は、左右方向において左側端部２０６の第２支持面２２０の内縁部に設けられ、第１端子部材１６０から離れるように後方に延びている。第２規制壁２２４は、前方から後方に向けて第２支持面２２０までの距離が短くなるように、第２支持面２２０に対して傾斜した部分を有している。
【００４０】
さらに、図４および図５に示すように、左側端部２０６には、左右方向に沿って延び、第１規制壁２２２と第２規制壁２２４をつなぐ支持壁２２６が、第２支持面２２０から突出して設けられている。支持壁２２６は、第１規制壁２２２を補強するとともに、コネクタ１９０が第１導電部１６３に嵌められた状態で、コネクタ１９０の上方への移動を規制する壁である。
【００４１】
また、左側端部２０６には、後述するカバー２４０を取り付ける際に位置決めの基準となるＬ字形状の位置決めリブ２２８と、カバー２４０をネジＳＣ２で固定するための穴Ｈ４が設けられたボス２３１が、支持壁２２６を挟んで前後に対向する位置に設けられている。位置決めリブ２２８およびボス２３１は、下方に突出している。
さらに、支持壁２２６と位置決めリブ２２８の間には、切欠き２２９が形成されており、電源（図示せず）に接続されたハーネス１９６が、切欠き２２９を通って、第１端子部材１６０の第１導電部１６３側に延びている。
【００４２】
また、左側端部２０６には、定着装置１００をレーザプリンタ１の本体フレーム２に装着する際に、本体フレーム２に設けられた保持面３１８（図１０参照）と係合する被保持部２２７が設けられている。
【００４３】
次に、図６を参照して、第１規制壁２２２、第２規制壁２２４および支持壁２２６の上下方向における位置関係について説明する。
図６に示すように、第１規制壁２２２および第２規制壁２２４は第２支持面２２０から下方に突出しており、第２支持面２２０から第１規制壁２２２の先端、つまり被ガイド面２３０の後端部２３６までの距離Ｄ１が、第２支持面２２０から第２規制壁２２４の先端までの距離Ｄ２よりも長くなっている。
また、第２支持面２２０から支持壁２２６の先端までの距離は、距離Ｄ１および距離Ｄ２よりも短くなっている。
【００４４】
図７に示すように、第１端子部材１６０の第１導電部１６３には、コネクタ１９０が嵌められている。
コネクタ１９０は、第１平型接続端子１９２（図２参照）と、第１平型接続端子１９２を被覆する絶縁性のハウジング１９５からなる。
ハウジング１９５は、例えば、合成樹脂からなり、第２導電部１９４と接触して第２導電部１９４を被覆している。
コネクタ１９０は、ハーネス１９６の端部に接続されている。
【００４５】
コネクタ１９０は、下面１９７と上面１９８を有する。上面１９８は、支持壁２２６に支持される面であり、下面１９７は、上面１９８と対向し、上面１９８に対して上下方向で第２支持面２２０と反対側に位置する面である。下面１９７は、第１面の一例である。
【００４６】
図６に仮想線で示すように、第１端子部材１６０の第１導電部１６３にコネクタ１９０が嵌められると、コネクタ１９０は、第１規制壁２２２と第２規制壁２２４の間で、支持壁２２６に上面１９８が支持される。そして、上下方向において、第２支持面２２０から下面１９７までの距離Ｄ３は、上述した第２支持面２２０から第１規制壁２２２の先端までの距離Ｄ１よりも短く、第２支持面２２０から第２規制壁２２４の先端までの距離Ｄ２よりも長くなっている（Ｄ１＞Ｄ３＞Ｄ２）。
【００４７】
さらに、図７に示すように、第１端子部材１６０およびコネクタ１９０は、絶縁性の樹脂から形成されるカバー２４０によって覆われる。
カバー２４０は、第１規制壁２２２と共に、第１端子部材１６０およびコネクタ１９０を覆うカバー部材ＣＶ（図８参照）を形成する。カバー２４０は、第１規制壁２２２の内面２２２Ａ（図４および図６参照）と接触または隣接する。
カバー部材ＣＶは、第１端子部材１６０およびコネクタ１９０の第２導電部１９４に埃が付着することを防止するためのものである。
【００４８】
詳細には、図７に示すように、カバー部材ＣＶは、第１規制壁２２２とカバー２４０からなる。
カバー２４０は、第１壁２５０と、第２壁２６０と、第３壁２７０と、第４壁２８０と、を含み、第１規制壁２２２と協働して、加熱ローラ１１０の左側端部で前後、左、上側から埃が入ることを防止する。
【００４９】
より詳細には、第１壁２５０は、第２支持面２２０と上下方向で対向する壁であり、第２支持面２２０と平行な下面２５２と、下面２５２の前端から斜め上方に傾斜して延びる第１傾斜面２５４と、下面２５２の後端から斜め上方に傾斜して延びる第２傾斜面２５６と、を有している。
下面２５２は、第１規制壁２２２の内面２２２Ａ（図６参照）および後端面２２２Ｂと接触するように、左側縁部が段差形状になっている。同様に、下面２５２は、加熱ローラ１１０のギアＧＲ１と、ギアＧＲ１よりも左右方向（軸方向）外側に突出する駆動ギアＧＲ２との形状に対応するように、右側縁部が段差形状になっている。そして、第１傾斜面２５４は、下面２５２の前端と同じ幅で、下面２５２から前斜め上方に突出している。同様に、第２傾斜面２５６は、下面２５２の後端と同じ幅で、下面２５２から後ろ斜め上方に突出している。
【００５０】
なお、第１壁２５０の左側縁部は、第２壁２６０とつながる連結端部２５７と、段差形状の左側縁部を形成する第１端部２５８および第２端部２５９を備えている。
具体的には、連結端部２５７は、下面２５２の左側縁部と第２傾斜面２５６の左側縁部が、第２壁２６０とつながる境界部分を画定している。第１端部２５８は、連結端部２５７から軸方向内側（右側）に延び、第１規制壁２２２の後端面２２２Ｂと前後方向で隣接する境界部分を画定している。そして、第２端部２５９は、第１端部２５８から前方に延び、第１規制壁２２２と左右方向（軸方向）で隣接する境界部分を画定している。
【００５１】
第２壁２６０は、第１壁２５０の連結端部２５７から上方に延び、定着フレーム２００の側面に支持される壁である。第２壁２６０は、第１壁２５０の下面２５２および第２傾斜面２５６の左側縁部とつながっている。
第２壁２６０は、図８に示すように、カバー２４０を定着フレーム２００の第２支持面２２０に固定した状態では、第１規制壁２２２と前後方向において並んで配置され、第１規制壁２２２の外面２２２Ｃ（図６も参照）と第２壁２６０の外面が略面一につながる。
【００５２】
図７に示すように、第３壁２７０は、第１傾斜面２５４から上方に延び、第２支持面２２０で支持される壁である。第３壁２７０は、第１傾斜面２５４の前端と同じ幅を有している。
なお、第３壁２７０と第２壁２６０との間には、壁が設けられておらず、上述した第１端部２５８および第２端部２５９に沿って、切欠き２７２が形成されている。
さらに、第３壁２７０の前端には、第２支持面２２０と接触する取付壁２７５が前方に突出している。取付壁２７５は、ネジＳＣ２（図８参照）によりカバー２４０を第２支持面２２０に固定するための穴２７６を有している。
【００５３】
第４壁２８０は、第２傾斜面２５６の後端から上方に延びる壁であり、図８に示すように、カバー２４０を取り付ける際に、位置決めリブ２２８の前面と当接する。
【００５４】
カバー２４０は、第１壁２５０の第１端部２５８および第２端部２５９を、第１規制壁２２２の後端面２２２Ｂおよび内面２２２Ａに合わせ、第４壁２８０を位置決めリブ２２８の内面に合わせた状態で、取付壁２７５の穴２７６を通したネジＳＣ２がボス２３１の穴Ｈ４にねじ込まれることで、定着フレーム２００に固定されている。
図９に示すように、カバー２４０を固定した状態では、第１規制壁２２２の被ガイド面２３０は、カバー２４０の下面２５２、第１傾斜面２５４および第２傾斜面２５６よりも下方に突出している。
【００５５】
次に、図１０を参照して、定着装置１００をレーザプリンタ１の本体フレーム２に装着する動作を説明する。
定着装置１００は、図２から図９に示す組み立て位置から上下を反転させ、被ガイド面２３０が水平になるように傾斜させた状態で本体フレーム２内の所定の装着位置まで挿入される。
【００５６】
図１０（ａ）に示すように、定着装置１００を本体フレーム２に装着する際は、本体フレーム２のリアカバー１５（図１参照）を開けることで形成される開口部を通して、定着装置１００を挿入する。
本体フレーム２は、左側側壁の内部に、内側に突出するガイド部３００を有している。
ガイド部３００は、第１リブ３０２と、第２リブ３０４と、第３リブ３０６と、係合リブ３０８と、を有している。
第１リブ３０２は、本体フレーム２の後方から前方に延びるリブである。そして、第１リブ３０２の上面には、定着装置１００の被ガイド面２３０が接触して、定着装置１００を前方に案内する第１ガイド面３１２が形成される。
第２リブ３０４は、第１リブ３０２と平行に延びるリブである。第２リブ３０４は、第１リブ３０２よりも前方で、第１リブ３０２よりも上方に設けられている。第２リブ３０４の上面には、定着装置１００の被保持部２２７が接触して、定着装置１００を前方に案内する第３ガイド面３１６が形成される。
第３リブ３０６は、第１リブ３０２と第２リブ３０４をつなぎ、前斜め上方に傾斜するリブである。第３リブ３０６の上面には、第１ガイド面３１２と第３ガイド面３１６に連続する第２ガイド面３１４が形成される。
係合リブ３０８は、第２リブ３０４とつながり、断面コ字形状を有するリブである。係合リブ３０８の内面には、定着装置１００の前端に設けられた被保持部２２７と係合して、被保持部２２７を保持する保持面３１８が形成される。
なお、第１ガイド面３１２、第２ガイド面３１４、第３ガイド面３１６および保持面３１８が、本体フレーム２のガイド面を構成する。
【００５７】
図１０（ｂ）に示すように、定着装置１００の被ガイド面２３０を第１ガイド面３１２に接触させた状態で、定着装置１００を前方に移動させる。
【００５８】
そのまま定着装置１００を前方に移動させると、被保持部２２７が第３ガイド面３１６で案内された後、図１０（ｃ）に示すように、被保持部２２７が保持面３１８に保持される。なお、被保持部２２７が保持面３１８に保持された位置が、所定の装着位置となる。
【００５９】
以上によれば、本実施形態において以下のような効果を得ることができる。
定着フレーム２００が第１規制壁２２２を有しているので、第１端子部材１６０の第１導電部１６３にコネクタ１９０が嵌められた状態で、コネクタ１９０が左右方向（軸方向）の外側に変位することが規制される。そのため、定着装置１００の着脱時に定着装置１００を移動させる場合でも、コネクタ１９０に接続されたハーネス１９６が定着装置１００の外側に変位し、本体フレーム２に引っ掛かることを抑制することができる。したがって、本体フレーム２への定着装置１００の着脱を円滑に行うことができる。
【００６０】
被ガイド面２３０が、第１規制壁２２２の下側端面により形成されるので、被ガイド面と第１規制壁を別々に設ける場合と比較して、部品点数を削減することができる。
【００６１】
定着フレーム２００が、左右方向（軸方向）において、第１ヒータ１２０および第２ヒータ１３０と第１規制壁２２２の間に第２規制壁２２４を有し、コネクタ１９０が第１規制壁２２２と第２規制壁２２４の間に配置されているので、コネクタ１９０が左右方向（軸方向）の外側と内側に変位することが規制される。
【００６２】
第１端子部材１６０およびコネクタ１９０を覆うカバー部材ＣＶを備えているので、第１端子部材１６０およびコネクタ１９０に埃が付着することを抑制できる。
さらに、カバー部材ＣＶが、第１規制壁２２２とカバー２４０からなり、カバー２４０の第１壁２５０が、第１端部２５８および第２端部２５９で第１壁２５０の後端面２２２Ｂおよび内面２２２Ａと隣接するので、カバー２４０の切欠き２７２を第１規制壁２２２で塞ぐことができる。
【００６３】
第１規制壁２２２が、カバー２４０の第１壁２５０よりも下方に突出し、被ガイド面２３０が第１壁２５０よりも突出しているので、定着装置１００の着脱時にカバー２４０の第１壁２５０がガイド面と摺動することがない。
【００６４】
第１端子部材１６０の第１導電部１６３が絶縁性のハウジングにより被覆されているので、第１導電部１６３に埃が付着することを抑制できる。
【００６５】
以上、本発明の実施形態について説明したが、本発明は前記実施形態に限定されるものではない。具体的な構成については、本発明の趣旨を逸脱しない範囲で適宜変更が可能である。
【００６６】
前記実施形態では、２つのヒータを用いた定着装置に本発明を適用したが、１つのヒータのみを用いて、ヒータの左側端部に設けたリードピンを第１端子部材１６０に固定することもできる。
【００６７】
前記実施形態では、レーザプリンタに本発明を適用したが、複写機、複合機などの他の画像形成装置に本発明を適用することもできる。
【００６８】
また、前記各実施形態および変形例で説明した各要素を、任意に組み合わせて実施することもできる。
【符号の説明】
【００６９】
１      レーザプリンタ１
２      本体フレーム
１００  定着装置
１２０  第１ヒータ
１３０  第２ヒータ
１６０  第１端子部材
１６３  第１導電部
１９０  コネクタ
１９４  第２導電部
２００  定着フレーム
２２０  第２支持面
２２２  第１規制壁
２３０  被ガイド面
３１２  第１ガイド面
３１４  第２ガイド面
３１６  第３ガイド面
３１８  保持面
【図１】
2018169528.tif 000003
【図２】
2018169528.tif 000004
【図３】
2018169528.tif 000005
【図４】
2018169528.tif 000006
【図５】
2018169528.tif 000007
【図６】
2018169528.tif 000008
【図７】
2018169528.tif 000009
【図８】
2018169528.tif 000010
【図９】
2018169528.tif 000011
【図１０】
2018169528.tif 000012